(57)【特許請求の範囲】
【請求項１】
挟み付け対象物の縁部等の挟み付け側を近接させ又は離隔させる向きに回動させるように組み付けられた一対の挟持板と、
前記一対の挟持板間に、この一対の挟持板における前記挟み付け側と反対の側から収め入れられている操作軸とを有するクリップであって、
前記操作軸が、前記一対の挟持板の回動軸の両側であって前記挟み付け側と、当該挟み付け側と反対の側とにそれぞれ、当該操作軸の側方に向けて突き出し、かつ、突き出す向きを互いに異ならせる突部を有しており、
前記一対の挟持板を前記挟み付け側を近接させ又は離隔させる向きに回動させるように、操作軸の回動操作によって前記挟み付け側にある突部と当該挟み付け側と反対の側にある突部とが順次に当該挟持板に突き当てられる構成としてあることを特徴とするクリップ。
【請求項２】
挟み付け対象物の挟み付け側を近接させ又は離隔させる向きに回動させるように組み付けられた一対の挟持板と、
前記一対の挟持板間に、この一対の挟持板における前記挟み付け側と反対の側から収め入れられたスライド部材とを有するクリップであって、
前記スライド部材には、前記一対の挟持板のいずれか一方の側に向けて突き出し、かつ、前記一対の挟持板の回動軸を中心とした当該一対の挟持板の前記挟み付け側において、挟持板に突き当てられて当該一対の挟持板を前記挟み付け側を離隔させる向きに回動させる弾性片と、
前記一対の挟持板の回動軸を中心とした当該一対の挟持板の前記挟み付け側と反対の側に向けた当該スライド部材の引き出し移動に伴って、当該一対の挟持板の向き合った面にそれぞれ突き当てられて、当該一対の挟持板を前記挟み付け側を近接させる向きに回動させる当接面とが設けてあることを特徴とするクリップ。
【発明の詳細な説明】
【０００１】
【発明の属する技術分野】
この発明は、衣服などの縁部や、紙など種々の挟み付け対象物の挟み付けをなすために用いられるクリップの提供に関する。
【０００２】
【従来の技術】
種々の挟み付け対象物の挟み付けをなすクリップとして、例えば、サスペンダーを構成するバンドを衣服の縁部に留め付けたり、洗濯物をハンガに吊り下げるなどするために、当該バンドなどの帯・紐・鎖状体の端部に取り付けられ、かつ、この取り付け側と反対の側で前記衣服などの縁部を挟み付けるクリップが用いられている。
【０００３】
かかるクリップは、一端側を近接・離隔するように回動可能に組み付けられた一対の挟持板を備え、かかる一端側で前記衣服の縁部などの挟み付けをなすように構成されている。そして、この種のクリップにおいては、かかる一端側での挟み付けを確保するために、もっとも典型的には、一対の挟持板間に前記一端側を常時狭める向きに付勢する金属製のバネを介装して構成してある。（例えば、特開平１−２９２１０８公報参照）
【０００４】
【発明が解決しようとする課題】
一方、かかる金属製のバネを用いないで前記衣服の縁部等を挟み付けるように一端側を狭めさせる構成を備えたクリップも開示されており、（例えば、特開平６−１８１８０４公報、特開平７−３３２３１９公報参照）このようにクリップを構成した場合、部品点数の減少、錆などの発生防止、衣料品等に当該クリップを用いる場合に前記バネに対して探針器を反応させない、といった利点がもたらされる。その反面で、このようにバネを用いないでこの種のクリップを構成した場合、前記衣服の縁部等を挟み付ける一端側を容易かつ確実に開き出させ、また、閉じ込ませる機能の確保が必要となり、また、こうした機能をシンプルな構造をもって実現できるようにすることが要請される。
【０００５】
そこでこの発明は、金属製のバネを用いることなく、適宜の挟み付け対象物を容易かつ確実に挟み付けることができる構造を備えたクリップを、できる限りシンプルに構成できるようにすることを目的とする。
【０００６】
【課題を解決するための手段】
前記目的を達成するために、請求項１記載の発明にあっては、クリップＣが以下の（１）〜（４）の構成を備えたものとした。
（１）挟み付け対象物の挟み付け側Ｇを近接させ又は離隔させる向きに回動させるように組み付けられた一対の挟持板１０、１０と、
（２）前記一対の挟持板１０、１０間に、この一対の挟持板１０、１０における前記挟み付け側Ｇと反対の側Ｈから収め入れられている操作軸３０とを有するクリップＣであって、
（３）前記操作軸３０が、前記一対の挟持板１０、１０の回動軸１１の両側であって前記挟み付け側Ｇと、当該挟み付け側Ｇと反対の側Ｈとにそれぞれ、当該操作軸３０の側方に向けて突き出し、かつ、突き出す向きを互いに異ならせる突部３１を有しており、
（４）前記一対の挟持板１０、１０を前記挟み付け側Ｇを近接させ又は離隔させる向きに回動させるように、操作軸３０の回動操作によって前記挟み付け側Ｇにある突部３１と当該挟み付け側Ｇと反対の側Ｈにある突部３１とが順次に当該挟持板１０に突き当てられる。
【０００７】
前記操作軸３０には、前記一対の挟持板１０、１０の回動軸１１を中心として、前記挟み付け側Ｇと、当該挟み付け側Ｇと反対の側Ｈとに前記突部３１がそれぞれ設けてあるが、この二つの突部３１、３１は突き出す向きを互いに異ならせていることから、かかる操作軸３０を回動させることにより、二つの突部３１、３１は前記一対の挟持板１０、１０を回動させるように当該挟持板１０に順次に突き当てられる。
【０００８】
すなわち、前記操作軸３０の回動により、前記一対の挟持板１０、１０の回動軸１１を中心とした前記挟み付け側Ｇにある前記突部３１が当該挟持板１０に突き当てられると、当該回動軸１１を中心に前記挟み付け側Ｇを離隔させる向きに前記一対の挟持板１０、１０は回動される。（以下、この回動状態を、開き出し状態ＯＰという。）また、かかる開き出し状態ＯＰから前記のように操作軸３０を回動させることにより、前記挟み付け側Ｇにある突部３１の前記挟持板１０への突き当てを緩め、あるいは、解くと共に、前記一対の挟持板１０、１０の回動軸１１を中心とした前記挟み付け側Ｇと反対の側Ｈにある前記突部３１を当該挟持板１０に突き当てることができ、これにより前記回動軸１１を中心に前記挟み付け側Ｇを近接させる向きに前記一対の挟持板１０、１０は回動される。（以下、この回動状態を、閉じ込み状態ＣＬという。）
【０００９】
したがって、請求項１記載のクリップＣによれば、前記開き出し状態ＯＰにおいて挟み付け対象物を前記一対の挟持板１０、１０の挟み付け側Ｇで挟み付けないようにすることができ、かかる開き出し状態ＯＰとすることにより当該挟み付け対象物への留め付けを解くことができる。また、かかる開き出し状態ＯＰにおいて、開き出された一対の挟持板１０、１０の挟み付け側Ｇ間に前記挟み付け対象物を差し入れ、この後前記閉じ込み状態ＣＬとすることにより、当該挟み付け対象物などに対する留め付けをなすことができる。
【００１０】
また、前記目的を達成するために、請求項２記載の発明にあっては、クリップＣが以下の（１）〜（４）の構成を備えたものとした。
（１）挟み付け対象物の挟み付け側Ｇを近接させ又は離隔させる向きに回動させるように組み付けられた一対の挟持板４０、４０と、
（２）前記一対の挟持板４０、４０間に、この一対の挟持板４０、４０における前記挟み付け側Ｇと反対の側Ｈから収め入れられたスライド部材６０とを有するクリップＣであって、
（３）前記スライド部材６０には、前記一対の挟持板４０、４０のいずれか一方の側に向けて突き出し、かつ、前記一対の挟持板４０、４０の回動軸４１を中心とした当該一対の挟持板４０、４０の前記挟み付け側Ｇにおいて、挟持板４０に突き当てられて当該一対の挟持板４０、４０を前記挟み付け側Ｇを離隔させる向きに回動させる弾性片６１と、
（４）前記一対の挟持板４０、４０の回動軸４１を中心とした当該一対の挟持板４０、４０の前記挟み付け側Ｇと反対の側Ｈに向けた当該スライド部材６０の引き出し移動に伴って、当該一対の挟持板４０、４０の向き合った面にそれぞれ突き当てられて、当該一対の挟持板４０、４０を前記挟み付け側Ｇを近接させる向きに回動させる当接面６２とが設けてある。
【００１１】
かかる構成によれば、前記一対の挟持板４０、４０間に収め入れられているスライド部材６０を前記挟み付け側Ｇに近付く向き、または、当該挟み付け側Ｇから遠ざかる向きにスライド状態に移動させることができる。
【００１２】
かかるスライド部材６０には、前記一対の挟持板４０、４０の回動軸４１を中心とした前記挟み付け側Ｇにおいて前記挟持板４０に突き当てられる弾性片６１が設けてあることから、このように弾性片６１が突き当てられる位置まで当該スライド部材６０を移動させることにより、前記回動軸４１を中心に前記挟み付け側Ｇを離隔させる向きに前記一対の挟持板４０、４０は回動される。（以下、この回動状態を、開き出し状態ＯＰという。）また、かかるスライド部材６０には、前記当接面６２が設けてあることから、前記開き出し状態ＯＰから前記のようにスライド部材６０を引き出し移動させることにより、前記弾性片６１による前記挟み付け側Ｇにおける突き当てを解き、かつ、当該弾性片６１を撓み込ませながら、前記一対の挟持板４０、４０の回動軸４１を中心とした前記挟み付け側Ｇと反対の側Ｈにおいて前記当接面６２をこの反対の側Ｈにある前記一対の挟持板４０、４０の向き合った面にそれぞれ突き当てさせることができ、これにより前記回動軸４１を中心に前記挟み付け側Ｇを近接させる向きに前記一対の挟持板４０、４０を回動させることができる。（以下、この回動状態を、閉じ込み状態ＣＬという。）
【００１３】
したがって、請求項２記載のクリップＣによれば、前記開き出し状態ＯＰにおいて挟み付け対象物を前記一対の挟持板４０、４０の挟み付け側Ｇで挟み付けないようにすることができ、かかる開き出し状態ＯＰとすることにより当該挟み付け対象物への留め付けを解くことができる。また、かかる開き出し状態ＯＰにおいて、開き出された一対の挟持板４０、４０の挟み付け側Ｇ間に前記挟み付け対象物を差し入れ、この後前記閉じ込み状態ＣＬとすることにより、当該挟み付け対象物に対する留め付けをなすことができる。
【００１４】
【発明の実施の形態】
以下、この発明の典型的な実施の形態について、説明する。
【００１５】
（第一の実施の形態）
先ず、図１ないし図２３に示される第一の実施の形態にかかるクリップＣ１について説明する。
【００１６】
なお、ここで図１は、この実施の形態にかかるクリップＣ１の構成を理解し易いように、当該クリップＣ１を分解して斜視の状態として示している。また、図２は、クリップＣ１をストッパー板１３の側から見た状態として、また、図３は、図２における下側から見た状態として、それぞれ示している。また、図４は、閉じ込み状態ＣＬにあるクリップＣ１を縦断面の状態として、また、図５は、開き出し状態ＯＰにあるクリップＣ１を縦断面の状態として、それぞれ示している。
【００１７】
また、図６ないし図９は、クリップＣ１を構成する操作軸３０を一体に備えた連接体２０をそれぞれ示しており、より具体的には、図６は、かかる連接体２０を連接穴２１の一方の開口側から見た状態で、また、図７は、図６における右側から見た状態で、また、図８は、図６における下側から見た状態で、さらに、図９は、縦断面の状態として、それぞれ示している。
【００１８】
また、図１０ないし図１６は、クリップＣ１を構成するベース板１２をそれぞれ示しており、より具体的には、図１０は、ベース板１２をストッパー板１３に向き合う面側から見た状態として、また、図１１は、図１０における下側から見た状態として、また、図１２は、図１１の下側から見た状態として、また、図１３は、図１１の左側から見た状態として、また、図１４は、図１１の右側から見た状態として、さらに、図１５および図１６は、当該ベース板１２を幅方向に沿って断面にした状態として、それぞれ示している。
【００１９】
また、図１７ないし図２２は、クリップＣ１を構成するストッパー板１３をそれぞれ示しており、より具体的には、図１７は、ストッパー板１３をベース板１２に向き合う面側から見た状態として、また、図１８は、図１７における上側から見た状態として、また、図１９は、図１８の上側から見た状態として、また、図２０は、図１８の左側から見た状態として、また、図２１は、図１８の右側から見た状態として、さらに、図２２は、当該ストッパー板１３を長さ方向に沿って断面にした状態として、それぞれ示している。
【００２０】
さらに、図２３は、前記ストッパー板１３とベース板１２との回動組み付け部分の構造を理解し易いように、当該組み付け部分においてストッパー板１３とベース板１２とをそれぞれ幅方向に沿って断面にし、かつ、両者を分離した状態として示している。
【００２１】
この実施の形態にかかるクリップＣ１は、種々の挟み付け対象物の挟み付けをなすために用いるのに適した構造を有しているが、この実施の形態においては衣服等の縁部Ｅ等に衣服の吊りバンドＴａなどの帯・紐・鎖状体Ｔを連接させるのに適した構造のものとして構成してある。すなわち、この実施の形態にかかるクリップＣ１は、衣服等の縁部Ｅ等を挟み付ける細長い板状をなす一対の挟持板１０、１０と、この一対の挟持板１０、１０間に収め入れられる操作軸３０と、この操作軸３０に一体に備えられて当該一対の挟持板１０、１０に組み付けられる帯・紐・鎖状体Ｔの連接体２０とを備えている。
【００２２】
一対の挟持板１０、１０は、幅広の面側を互いに向き合わせるように配され、かつ、長さ側にある両端部を互いに近接または離隔させる向きに回動させるように、回動可能に組み付けられている。この実施の形態にあっては、かかる回動組み付け部分が前記挟持板１０の長さ側にある一方端部に近接した箇所に設けてあり、したがって、前記一対の挟持板１０、１０はこの回動組み付け部分からの距離の大きい前記長さ側にある他方端部において、前記近接または離隔させる向きの回動寸法を大きいものとする。そして、この他方端部側が前記衣服等の縁部Ｅなどの挟み付け側Ｇとしてある。
【００２３】
この実施の形態にあっては、前記回動組み付け部分を、前記一対の挟持板１０、１０の一方に設けた軸凹部１２ａを設けると共に、当該挟持板１０の他方に当該軸凹部１２ａに収まる軸突部１３ａを設けて、構成している。（この実施の形態にあっては、かかる軸凹部１２ａを有する挟持板１０をベース板１２と、また、かかる軸突部１３ａを有する挟持板１０をストッパー板１３という。）
【００２４】
より具体的には、前記軸凹部１２ａは、前記ベース板１２の長さ方向に亙る両側部に互いに向き合うように設けられた一対の側板部１２ｄ、１２ｄにおける、当該向き合う側にそれぞれ形成してある。各軸凹部１２ａはいずれも、前記側板部１２ｄの基部側に前記軸突部１３ａの一側部が載せ置かれる軸受面１２ｂを、また、当該側板部１２ｄの先端側にこの軸受面１２ｂに載せ置かれる当該軸突部１３ａの他側部に引っ掛かる掛合爪１２ｃとを有している。一方、前記軸突部１３ａは、前記ストッパー板１３の長さ方向に亙る両側端面においてそれぞれ、外方に突き出す突起として構成してある。そして、この実施の形態にあっては、前記軸凹部１２ａに対し前記軸突部１３ａを、当該軸凹部１２ａにおける前記掛合爪１２ｃの設けられている側から、当該掛合爪１２ｃに当該軸突部１３ａを押し当てこの掛合爪１２ｃの設けられている前記側板部１２ｄの一部を弾性変形させながら当該軸突部１３ａに当該掛合爪１２ｃを乗り越えさせ、乗り越え位置で前記掛合爪１２ｃと前記軸受面１２ｂとに当該軸突部１３ａを挟み込ませた状態で回転可能に収め入れることができる構成としてあり、この収め入れにより前記ベース板１２と前記ストッパー板１３とを回動可能に組み付けている。
【００２５】
また、前記ベース板１２と前記ストッパー板１３における前記挟み付け側Ｇには、この側において当該ベース板１２とストッパー板１３の間に入れ込まれた前記衣服等の縁部Ｅ等に、この挟み付け側Ｇを近接させる向きに回動させた閉じ込み状態ＣＬにおいて食い込まされる歯部１２ｅ、１３ｄが設けてある。
【００２６】
一方、前記操作軸３０は、前記ベース板１２と前記ストッパー板１３との間に、両板の回動軸１１を横切り、かつ、当該回動軸１１に操作軸３０の軸線を直交させるように、前記挟み付け側Ｇと反対の側Ｈから収め入れられると共に、この収め入れ状態において回動可能に前記ベース板１２に組み付けられている。
【００２７】
すなわち、この実施の形態にあっては、前記ベース板１２における前記ストッパー板１３と向き合う側であって前記回動軸１１の通る位置に、前記操作軸３０の中央部を嵌め入れる間隔を開けて一対の弾性片１２ｆ、１２ｆが突設してあり、この一対の弾性片１２ｆ、１２ｆ間にかかる中央部を嵌め入れて、当該ベース板１２に対し回動可能に前記操作軸３０が組み付けられている。
【００２８】
また、この実施の形態にあっては、前記帯・紐・鎖状体Ｔの連接体２０を、長細い当該帯・紐・鎖状体Ｔの連接穴２１を備えた枠状体として構成してある。そして、かかる連接体２０における長さ方向に亙る一方側縁部Ｅの中央部に、前記操作軸３０の一端部が一体に備え付けられている。そして、この連接体２０を把持などして捻回操作することにより前記操作軸３０を回動させることができる構成としてある。
【００２９】
また、前記操作軸３０は、前記回動軸１１を中心とした前記挟み付け側Ｇと、この挟み付け側Ｇと反対の側Ｈとにそれぞれ、この操作軸３０の軸線に対し略直交する向きに突き出す突部３１を備えている。
【００３０】
挟み付け側Ｇにある前記突部３１（以下、第一の突部３１ａという。）は、操作軸３０の直径方向両側において外側に突き出すように設けてある。一方、かかる挟み付け側Ｇと反対の側Ｈにある前記突部３１（以下、第二の突部３１ｂという。）は、前記操作軸３０の半径方向において外側に突き出すように設けてある。
【００３１】
また、かかる第一の突部３１ａと第二の突部３１ｂとは、その突き出す向きを互いに異ならせている。この実施の形態にあっては、前記操作軸３０の軸中心と前記第一の突部３１ａの突き出し端とを結ぶ線分と、当該軸中心と前記第二の突部３１ｂの突き出し端とを結ぶ線分とが、略９０度の角度をなすように、かかる第一の突部３１ａと第二の突部３１ｂとが設けてある。
【００３２】
そして、この実施の形態にあっては、前記両突部３１がいずれも、前記操作軸３０の回動操作に伴って、かかる突部３１の先端部をストッパー板１３に対して突き当てる構成としてある。そして、この突き当てによって、前記挟み付け側Ｇにおいて前記ベース板１２と前記ストッパー板１３とを開き出し状態ＯＰとし、あるいは、閉じ込み状態ＣＬとすることができるようにしてある。
【００３３】
すなわち、前記第二の突部３１ｂが前記ベース板１２の板面に対して略直交する向きに突き出される回動位置においては、前記第一の突部３１ａは前記ストッパー板１３に突き当てられない。そして、この回動位置においては、前記回動軸１１を中心とした前記挟み付け側Ｇと反対の側Ｈにある前記ストッパー板１３が前記のように突き当てられる第二の突部３１ｂにより押し上げられ、これにより、前記挟み付け側Ｇが閉じ込み状態ＣＬとされる。（図４）
【００３４】
なお、この実施の形態にあっては、前記第二の突部３１ｂの先端に小突起３２が形成してあると共に、この第二の突部３１ｂの突き当てられる前記ストッパー板１３の板部に、かかる小突起３２が収まる溝１３ｃが形成してあり、前記閉じ込み状態ＣＬにおいてかかる小突起３２を当該溝１３ｃに収め入れて、かかる閉じ込み状態ＣＬを仮に維持できるようにしてある。
【００３５】
一方、前記第一の突部３１ａが前記ベース板１２の板面に対して略直交する向きに突き出される回動位置においては、前記第二の突部３１ｂは前記ストッパー板１３に突き当てられない。そして、この回動位置においては、前記回動軸１１を中心とした前記挟み付け側Ｇにある前記ストッパー板１３が前記のように突き当てられる第一の突部３１ａにより押し上げられ、これにより、前記挟み付け側Ｇが開き出し状態ＯＰとされる。（図５）
【００３６】
なお、この実施の形態にあっては、かかる第一の突部３１ａは、前記操作軸３０の直径方向両側に設けてあることから、前記閉じ込み状態ＣＬから前記操作軸３０を時計回り、および、半時計回り、いずれの向きに向けて回動させても、かかる第一の突部３１ａを前記ストッパー板１３に突き当てて、前記開き出し状態ＯＰを作りだすことができるようにしてある。また、前記ベース板１２には、前記ストッパー板１３に突き当てられていない側において突き出される前記第一の突部３１ａの収まる逃げ穴１２ｇが設けてある。
【００３７】
また、この実施の形態にあっては、前記ストッパー板１３における前記第一の突部３１ａが突き当てられる箇所が、当該ストッパー板１３の板面から突き出す張り出し部１３ｄとして構成してある。この張り出し部１３ｄの突き出し寸法を調整することにより、前記第一の突部３１ａの突き出し寸法を変えることなく、前記開き出し状態ＯＰにおける開き出し寸法を大きく、また、小さくすることができる。
【００３８】
また、この実施の形態にあっては、前記操作軸３０における第二の突部３１ｂが前記ストッパー板１３に突き当てられた前記閉じ込み状態ＣＬにおいて、前記回動軸１１を含んだ仮想の面に対し、前記連接体２０の前記連接穴２１を巡る面が略平行となるように構成してあり、この平行となる向きにある連接体２０を把持などしてこの連接体２０の前記連接穴２１を巡る面が前記仮想の面に略直交となる向きまで捻回すことにより、次第に前記挟み付け側Ｇを開き出させ、前記開き出し状態ＯＰを作り出すことができるようにしてある。
【００３９】
また、この実施の形態にあっては、前記軸凹部１２ａの掛合爪１２ｃの下方と、前記操作軸３０を嵌め込む一対の弾性片６１の間とに、前記ベース板１２の厚さ方向に亙る成形穴１２ｈが設けてあり、この成形穴１２ｈを通じて前記掛合爪１２ｃと前記弾性片６１の先端部とを、当該成形穴１２ｈの開設方向に向けて移動される上下一対の金型によって容易に成形できるようにしてある。また、特に、前記掛合爪１２ｃの下方にある成形穴１２ｈにより、当該掛合爪１２ｃの設けられた側板の一部を、前記軸突部１３ａの前記軸凹部１２ａへの収め入れ操作に伴って、撓み込ませ易いものとしてある。
【００４０】
（第二の実施の形態）
次いで、図２４ないし図２９に示される第二の実施の形態にかかるクリップＣ２について説明する。
【００４１】
なお、ここで図２４は、この実施の形態にかかるクリップＣ２の構造を理解し易いように、当該クリップＣ２を分解して、斜視の状態として示している。また、図２５は、当該クリップＣ２を斜視の状態として示している。
【００４２】
また、図２６および図２８は、閉じ込み状態ＣＬにおけるクリップＣ２を、当該クリップＣ２の側方から見た状態で（図２６）、また、長さ方向に沿って断面にした状態として（図２８）、それぞれ示している。
【００４３】
また、図２７および図２９は、開き出し状態ＯＰにおけるクリップＣ２を、当該クリップＣ２の側方から見た状態で（図２７）、また、長さ方向に沿って断面にした状態として（図２９）、それぞれ示している。
【００４４】
この実施の形態にかかるクリップＣ２は、種々の挟み付け対象物の挟み付けをなすために用いるのに適した構造を有しているが、この実施の形態においては衣服等の縁部Ｅ等に衣服の吊りバンドＴａなどの帯・紐・鎖状体Ｔを連接させるのに適した構造のものとして構成してある。すなわち、この実施の形態にかかるクリップＣ２は、衣服等の縁部Ｅ等を挟み付ける細長い板状をなす一対の挟持板４０、４０と、この一対の挟持板４０、４０間に収め入れられるスライド部材６０と、このスライド部材６０に一体に備えられて当該一対の挟持板４０、４０に組み付けられる帯・紐・鎖状体Ｔの連接体５０とを備えている。
【００４５】
一対の挟持板４０、４０は、幅広の面側を互いに向き合わせるように配され、かつ、長さ側にある両端部を互いに近接または離隔させる向きに回動させるように、回動可能に組み付けられている。この実施の形態にあっては、かかる回動組み付け部分が前記挟持板１０の長さ側にある一方端部に近接した箇所に設けてあり、したがって、前記一対の挟持板４０、４０はこの回動組み付け部分からの距離の大きい前記長さ側にある他方端部において、前記近接または離隔させる向きの回動寸法を大きいものとする。そして、この他方端部側が前記衣服等の縁部Ｅなどの挟み付け側Ｇとしてある。
【００４６】
この実施の形態にあっては、前記回動組み付け部分を、前記一対の挟持板４０、４０の一方に軸穴４２ａを設けると共に、当該挟持板１０の他方に当該軸穴４２ａに収まる軸突部４３ａを設けて、構成している。（この実施の形態にあっては、かかる軸穴４２ａを有する挟持板４０をベース板４２と、また、かかる軸突部４３ａを有する挟持板４０をストッパー板４３という。）
【００４７】
より具体的には、前記軸穴４２ａは、前記ベース板４２の長さ方向に亙る両側部に互いに向き合うように設けられた一対の軸受突部４２ｂにそれぞれ形成してある。一方、前記軸突部４３ａは、前記ストッパー板４３の長さ方向に亙る両側部においてそれぞれ設けられ、前記軸穴４２ａに回転可能に嵌め入れられる外方に突き出す突起として構成してある。
【００４８】
また、前記ベース板４２と前記ストッパー板４３における前記挟み付け側Ｇには、この側において当該ベース板４２とストッパー板４３の間に入れ込まれた前記衣服等の縁部Ｅ等に、この挟み付け側Ｇを近接させる向きに回動させた閉じ込み状態ＣＬにおいて食い込まされる歯部４２ｃ、４３ｄが設けてある。
【００４９】
また、前記スライド部材６０は、前記ストッパー板４３と前記ベース板４２との間に、前記挟み付け側Ｇと反対の側Ｈから収め入れられ、かつ、この収め入れ状態において前記挟み付け側Ｇに近付く向き、または、当該挟み付け側Ｇから遠ざかる向きに移動可能に前記ベース板４２に組み付けられている。また、かかるスライド部材６０は、前記ベース板４２に接する側において開放された内部空間６４を有している。
【００５０】
すなわち、前記スライド部材６０は、前記ストッパー板４３と前記ベース板４２とが向き合った面を略平行とする前記閉じ込み状態ＣＬにおいて、当該ストッパー板４３の板面と当該ベース板４２の板面とに別々に摺接される上下面６２’を有すると共に、当該スライド部材６０の内側であって当該ベース板４２に摺接される側に、当該ベース板４２に設けた抜け止め突部４２ｅに対し、この抜け止め突部４２ｅにおける前記挟み付け側Ｇの側部に突き当たる係当面６５を有している。したがって、かかるスライド部材６０は、この抜け止め突部４２ｅに係当面６５を突き当てる位置より先に抜き出し方向に移動されることがなく、またこの突き当て位置において、前記上下面６２’を前記両板４２、４３の板面にそれぞれ密着させることから、当該両板間から外れ出すことがない。（図２６）
【００５１】
また、この実施の形態にあっては、前記帯・紐・鎖状体Ｔの連接体５０を、長細い当該帯・紐・鎖状体Ｔの連接穴５１を備えた板状体として構成してある。そして、かかる連接体５０における長さ方向に亙る一方側縁部Ｅの中央部に、前記スライド部材６０の前記両板４２、４３への差し入れ側と反対の端部が一体に備え付けられている。そして、この連接体５０を把持等して引っ張り、あるいは、押し込むことにより、前記スライド部材６０をスライド状態に移動させることができる構成としてある。
【００５２】
また、前記閉じ込み状態ＣＬにおいて、前記スライド部材６０は、前記ストッパー板４３と前記ベース板４２の回動軸４１を中心とした前記挟み付け側Ｇと反対の側Ｈに前記連接体５０への組み付け側と反対の側の端部を位置させ、この位置において前記のように上下面６２’を前記両板の板面にそれぞれ密着させる。（図２６、図２８）この結果、かかる閉じ込み状態ＣＬにおいて当該両板４０、４１は前記挟み付け側Ｇを開き出させる向きに回動させることができず、かかる閉じ込み状態ＣＬは安定的に維持される。
【００５３】
すなわち、この実施の形態にあっては、前記ベース板４２の前記上下面６２’が、前記一対の挟持板４０、４０の挟み付け側Ｇを近接させる向きに回動させる当接面６２とされる。
【００５４】
また、前記スライド部材６０には、当該スライド部材６０における前記ストッパー板４３と接し合う面側から先端部６１ｂ側を突き出させる弾性片６１が設けてある。
【００５５】
この実施の形態にあっては、前記スライド部材６０における前記連接体５０との連設側から反対の側に向けて設けられる略平行な二条の割溝６３ａ、６３ａと、この二条の割溝６３ａ、６３ａにおける前記連設側と反対の側の端部間を結ぶ連設溝６３ｂとにより、当該スライド部材６０の前記ストッパー板４３に接する側に前記弾性片６１を区分して設けている。かかる弾性片６１は、前記連接体５０への連設側からこの連設側と反対の側に向けて、次第に外方に突き出すように傾斜状に設けてある。また、かかる弾性片６１の先端部６１ｂには、前記挟み付け側Ｇに向けられた掛合面６１ａが形成してある。また、かかる弾性片６１の先端とスライド部材６０の前記挟み付け側Ｇに向けられた縁部との間には、前記ストッパー板４３に対する当接面６２が確保してある。
【００５６】
また、この実施の形態にあっては、前記ストッパー板４３における前記連接体５０の側に向けられた端部に、前記弾性片６１の先端側が入り込む大きさの凹部４３ｂが形成してあり、前記閉じ込み状態ＣＬにおいてこの凹部４３ｂの奥側面４３ｃに前記弾性片６１の掛合面６１ａが引っ掛かる構成としてある。したがって、この実施の形態にあっては、かかる凹部４３ｂの奥側面４３ｃと弾性片６１の掛合面６１ａとの引っ掛かり合いにより、前記閉じ込み状態ＣＬにおいて単純にはスライド部材６０を前記挟み付け側Ｇに向けて移動することができないものとされる。（図２６、図２８）
【００５７】
また、かかるスライド部材６０は、前記内部空間６４を有し、この内部空間６４内に前記弾性片６１を撓み込ませて収め入れることができる構成としてある。したがって、前記閉じ込み状態ＣＬから、弾性片６１を押圧操作して前記空間６４内に向けて撓み込ませて収め入れることができ、これにより前記凹部４３ｂの奥側面４３ｃと弾性片６１の掛合面６１ａとの引っ掛かりを解いて、スライド部材６０を前記挟み付け側Ｇに向けて移動させることができる。
【００５８】
そして、この実施の形態にあっては、前記弾性片６１の先端部６１ｂが、前記ベース板４２と前記ストッパー板４３との回動軸４１を中心とした前記挟み付け側Ｇに至る位置まで、前記スライド部材６０を移動させることができる構成としてある。
【００５９】
このようにスライド部材６０が移動されると、前記空間６４に向けて撓み込まされた弾性片６１の外側への撓み戻しが許容され、この撓み戻しに伴って当該弾性片６１の先端部６１ｂを前記ストッパー板４３に突き当ててこのストッパー板４３を押し上げ、前記回動軸４１を中心に前記挟み付け側Ｇが離隔された開き出し状態ＯＰが作り出される。（図２７、図２９）
【００６０】
なお、この実施の形態にあっては、前記スライド部材６０における前記弾性片６１の突き出し側に、前記開き出し状態ＯＰにおいて前記ストッパー板４３における前記挟み付け側Ｇと反対の側Ｈが収まる逃げ凹部６６が形成してある。
【００６１】
また、前記開き出し状態ＯＰから、前記連接体５０を把持するなどして、前記スライド部材６０を前記両板４２、４３間から抜き出す向きに移動させると、前記弾性片６１は前記ストッパー板４３に接して次第に撓み込まされ、前記回動軸１１を中心とした前記挟み付け側Ｇと反対の側Ｈにおいて再びスライド部材６０の上下当接面６２が前記両板４２、４３の板面に突き当てられるに至り、この突き当てにより再び前記閉じ込み状態ＣＬが作り出される。（図２６、図２８）
【００６２】
なお、この実施の形態にあっては、前記ベース板４２に当該ベース板４２の長さ方向に沿った突条４２ｄが形成してあり、かつ、前記スライド部材６０の前記挟み付け側Ｇにある端部における当該ベース板４２に接する側にかかる突条４２ｄの収まる凹部６７が形成してあり、スライド部材６０の移動を前記突条４２により安定的に案内できるようにしてある。
【００６３】
【発明の効果】
請求項１記載の発明にかかるクリップＣによれば、前記操作軸３０の回動操作により、前記一対の挟持板１０、１０の挟み付け側Ｇを容易に近接または離隔させることができ、この挟み付け側Ｇをもって適宜の挟み付け対象物を確実に挟み付けることができる。また、かかる機能を前記操作軸３０を前記一対の挟持板１０、１０の間において回動可能に組み付けておくことをもって達成し得るので、クリップＣをできる限りシンプルに構成することができる。
【００６４】
また、請求項２記載の発明にかかるクリップＣによれば、前記スライド部材６０の移動操作により、前記一対の挟持板４０、４０の挟み付け側Ｇを容易に近接または離隔させることができ、この挟み付け側Ｇをもって適宜の挟み付け対象物を確実に挟み付けることができる。また、かかる機能を前記スライド部材６０を前記一対の挟持板４０、４０の間において移動可能に組み付けておくことをもって達成し得るので、クリップＣをできる限りシンプルに構成することができる。
【図面の簡単な説明】
【図１】クリップＣ１の分解斜視図
【図２】クリップＣ１の側面図
【図３】クリップＣ１の側面図
【図４】クリップＣ１の使用状態を示す断面図（閉じ込み状態ＣＬ）
【図５】クリップＣ１の使用状態を示す断面図（開き出し状態ＯＰ）
【図６】操作軸３０を備えた連接体２０の側面図
【図７】操作軸３０を備えた連接体２０の図６と見る向きを変えた側面図
【図８】操作軸３０を備えた連接体２０の図６および図７と見る向きを変えた側面図
【図９】操作軸３０を備えた連接体２０の断面図
【図１０】ベース板１２の側面図
【図１１】図１０と見る向きを変えたベース板１２の側面図
【図１２】図１０および図１１と見る向きを変えたベース板１２の側面図
【図１３】図１０ないし図１２と見る向きを変えたベース板１２の側面図
【図１４】図１０ないし図１３と見る向きを変えたベース板１２の側面図
【図１５】図１０におけるＡ−Ａ線断面図
【図１６】図１０におけるＢ−Ｂ線断面図
【図１７】ストッパー板１３の側面図
【図１８】図１７と見る向きを変えたストッパー板１３の側面図
【図１９】図１７および図１８と見る向きを変えたストッパー板１３の側面図
【図２０】図１７ないし図１９と見る向きを変えたストッパー板１３の側面図
【図２１】図１７ないし図２０と見る向きを変えたストッパー板１３の側面図
【図２２】ストッパー板１３の断面図
【図２３】ベース板１２およびストッパー板１３の要部断面図
【図２４】クリップＣ２の分解斜視図
【図２５】クリップＣ２の斜視図
【図２６】クリップＣ２の使用状態を示す側面図（閉じ込み状態ＣＬ）
【図２７】クリップＣ２の使用状態を示す側面図（開き出し状態ＯＰ）
【図２８】クリップＣ２の使用状態を示す断面図（閉じ込み状態ＣＬ）
【図２９】クリップＣ２の使用状態を示す断面図（開き出し状態ＯＰ）
【符号の説明】
Ｅ  縁部
Ｃ  クリップ
Ｇ  挟み付け側
Ｈ  挟み付け側Ｇと反対の側
Ｔ  帯・紐・鎖状体
Ｔａ  吊りバンド
１０  挟持板
４０  挟持板
１１  回動軸
４１  回動軸
２１  連接穴
４１  連接穴
３０  操作軸
３１  突部
６０  スライド部材
６１  弾性片
６２  当接面
【図１】
0003942236.tif 000002
【図２】
0003942236.tif 000003
【図３】
0003942236.tif 000004
【図４】
0003942236.tif 000005
【図５】
0003942236.tif 000006
【図６】
0003942236.tif 000007
【図７】
0003942236.tif 000008
【図８】
0003942236.tif 000009
【図９】
0003942236.tif 000010
【図１０】
0003942236.tif 000011
【図１１】
0003942236.tif 000012
【図１２】
0003942236.tif 000013
【図１３】
0003942236.tif 000014
【図１４】
0003942236.tif 000015
【図１５】
0003942236.tif 000016
【図１６】
0003942236.tif 000017
【図１７】
0003942236.tif 000018
【図１８】
0003942236.tif 000019
【図１９】
0003942236.tif 000020
【図２０】
0003942236.tif 000021
【図２１】
0003942236.tif 000022
【図２２】
0003942236.tif 000023
【図２３】
0003942236.tif 000024
【図２４】
0003942236.tif 000025
【図２５】
0003942236.tif 000026
【図２６】
0003942236.tif 000027
【図２７】
0003942236.tif 000028
【図２８】
0003942236.tif 000029
【図２９】
0003942236.tif 000030